(57)【要約】      （修正有）【課題】いろいろな機器を同時に容易に取り扱えないユーザが,１回の設定で映像出力装置と音響出力装置及びソース入力装置を同時に制御できるシナリオによる制御方法及びシステムを提供する。【解決手段】映像出力装置及び音響出力装置に複数の外部入力チャンネルのキーコード値をそれぞれ分離設定することによって,ユーザにより設定されたシナリオモードでリモコンの簡単なボタン入力により,ソース入力装置と映像出力装置及び音響出力装置を同時に制御可能とする。【選択図】図１
2007060658.tif 000002
【特許請求の範囲】
【請求項１】
映像出力装置、音響出力装置、複数のソース入力装置及び前記それぞれの装置に信号を送信するリモコンを備えるシステムで、
前記映像出力装置に複数の映像入力チャンネルを設定し、前記音響出力装置に複数の音響入力チャンネルを設定する第１ステップと、
前記リモコンを通じて第１ソース入力装置によるサービスモードが選択された状態で、前記リモコンのパワーオンボタンによる統合信号を送信する第２ステップと、
前記統合信号により前記第１ソース入力装置の電源がオンとなり、前記映像出力装置及び前記音響出力装置は、ユーザにより既設定された第１映像入力チャンネル及び第１音響入力チャンネルに対するキーコードを前記統合信号により受信して電源がオンとなると同時に、前記第１ソース入力装置が提供する映像及び音響を出力する第３ステップと、を含むシナリオによる制御方法。
【請求項２】
前記リモコンを通じて第２ソース入力装置によるサービスモードが選択された状態で、
前記リモコンのパワーオンボタンによる統合信号を送信する第４ステップと、
前記統合信号により前記第２ソース入力装置の電源がオンとなり、前記映像出力装置及び前記音響出力装置は、ユーザにより既設定された第２映像入力チャンネル及び第２音響入力チャンネルに対するキーコードを前記統合信号により受信して電源がオンとなると同時に、前記第２ソース入力装置が提供する映像及び音響を出力する第５ステップと、をさらに含む請求項１に記載のシナリオによる制御方法。
【請求項３】
前記第１ステップは、
前記複数の映像入力チャンネルにキーコード値を割り当て、前記割り当てられたキーコード値に特定の映像入力規格をマッピングする第１−１ステップと、
前記複数の音響入力チャンネルにキーコード値を割り当て、前記割り当てられたキーコード値に特定の音響入力規格をマッピングする第１−２ステップと、を含む請求項１に記載のシナリオによる制御方法。
【請求項４】
前記リモコンを通じて前記映像入力チャンネルに割り当てられたキーコード値のうち特定のキーコード値に該当する映像入力規格を選択し、前記音響入力チャンネルに割り当てられたキーコード値のうち特定のキーコード値に該当する音響入力規格を選択する第１−３ステップをさらに含む請求項３に記載のシナリオによる制御方法。
【請求項５】
前記映像入力規格は、ＨＤＭＩ規格、ＤＶＩ規格、コンポーネント規格、コンポジット規格及びスーパービデオ規格を含み、前記音響入力規格は、ＳＰＤＩＦ規格及びＡｕｘ規格を含む請求項３に記載のシナリオによる制御方法。
【請求項６】
前記映像出力装置はＤＴＶであり、前記音響出力装置はＡＶレシーバであり、前記複数のソース入力装置はＤＶＤプレーヤ、衛星放送セットトップボックス、ケーブル放送セットトップボックス及びＩＰセットトップボックスを備える請求項１ないし５のうちいずれか１項に記載のシナリオによる制御方法。
【請求項７】
複数の映像入力チャンネルにキーコード値を割り当て、前記割り当てられたキーコード値に所定の映像入力規格をマッピングする映像チャンネル設定部を備える映像出力装置と、
複数の音響入力チャンネルにキーコード値を割り当て、前記割り当てられたキーコード値に所定の音響入力規格をマッピングする音響チャンネル設定部を備える音響出力装置と、
パワーオン及びオフボタンが分離されており、前記キーコード値が割り当てられた複数の映像入力チャンネルと複数の音響入力チャンネルのうち特定の映像入力チャンネル及び特定の音響入力チャンネルを設定するように制御する設定ボタンを備えたリモコンと、
前記リモコンのパワーオンボタンによる統合信号により電源がオンとなると同時に、ユーザにより既設定された第１映像入力チャンネル及び第１音響入力チャンネルに対するキーコードを前記統合信号により受信して、電源がオンとなる前記映像出力装置及び前記音響出力装置に第１ソース映像及び第１ソース音響を入力させる第１ソース入力装置と、を備えるシナリオによる制御システム。
【請求項８】
前記リモコンのパワーオンボタンによる統合信号により電源がオンとなると同時に、ユーザにより既設定された第２映像入力チャンネル及び第２音響入力チャンネルに対するキーコードを前記統合信号により受信して、電源がオンとなる前記映像出力装置及び前記音響出力装置に第２ソース映像及び第２ソース音響を入力させる第２ソース入力装置をさらに備える請求項７に記載のシナリオによる制御システム。
【請求項９】
前記映像入力規格は、ＨＤＭＩ規格、ＤＶＩ規格、コンポーネント規格、コンポジット規格及びスーパービデオ規格を含み、前記音響入力規格は、ＳＰＤＩＦ規格及びＡｕｘ規格を含む請求項７に記載のシナリオによる制御システム。
【請求項１０】
前記映像出力装置はＤＴＶであり、前記音響出力装置はＡＶレシーバであり、前記複数のソース入力装置はＤＶＤプレーヤ、衛星放送セットトップボックス、ケーブル放送セットトップボックス及びＩＰセットトップボックスを備える請求項７ないし９のうちいずれか１項に記載のシナリオによる制御システム。
【請求項１１】
請求項１ないし請求項６のうちいずれか１項による方法を実行するためのコンピュータ可読プログラムを記録した記録媒体。
【発明の詳細な説明】
【技術分野】
【０００１】
本発明は、シナリオによる制御方法及びシステムに係り、さらに詳細には、映像出力装置及び音響出力装置に複数の外部入力チャンネルのキーコード値をそれぞれ分離設定することによって、ユーザにより設定されたシナリオモードでリモコンの簡単なボタン入力によりソース入力装置と映像出力装置及び音響出力装置を同時に制御できるシナリオによる制御方法及びシステムに関する。
【背景技術】
【０００２】
家庭内の映像出力及び音響出力が一つの装置から形成されずに多元化されて、ＴＶは主に映像のディスプレイ機能を行い、ホームシアタの構成のうちＡＶレシーバやアンプのような装置は音響出力の機能を行う。一方、多様なデジタルコンテンツを受信して視聴可能にするいろいろな種類のセットトップボックス（以下、ＳＴＢ）が存在する。ＳＴＢとは、ＴＶ受像機（Ｓｅｔ）の上（Ｔｏｐ）に載せる電子製品（Ｂｏｘ）をいい、家庭でケーブルまたは衛星放送を受信するために、ＴＶに連結させる装備で専用ブラウザーを通じて自体コンテンツや一般インターネットを利用してもよい。デジタル放送は、デジタル技術で圧縮する各種映像、音声データを１００個ほどの多チャンネルに載せて送るが、デジタル映像圧縮技術は、一つの中継器に一チャンネルのみを放送できるアナログの限界を克服し、一つの中継器で多チャンネル放送を可能にするが、このようなデジタル方式で送出された放送信号を再生してＴＶに送出するために特別に必要な装置が、直ちにＳＴＢである。このようなＳＴＢの種類には、衛星ＳＴＢ、ケーブルＳＴＢ、地上波ＳＴＢ、ＩＰ−ＳＴＢなどが存在する。ところが、このようないろいろなＳＴＢの出力は、映像出力と音響出力とが分離されているために、ユーザは各機器をコントロールする時、映像出力装置及び音響出力装置の外部入力を転換せねばならない。このような不便を解消するための技術が従来にも存在したが、代表的な技術には、特許文献１ないし３が存在する。
【０００３】
特許文献１は、ＴＶ受信機で入力モードを既設定してリモコンのパワーオン信号や外部入力信号が入る場合、ＴＶに既設定された外部入力に自動転換させるＴＶ受信機に関する発明であるのに対し、本特許では、映像出力装置及び音響出力装置の外部入力をそれぞれのリモコンキーコード値に転換するように分離してマッピングすることによって、特定のリモコンキーコード値が受信されれば、外部入力が自動転換されるように構成されている。
【０００４】
特許文献２は、複数個のＰＬＵＧを含むＬＡＮ網で連結されたＳＴＢ、ＶＣＲ、ＴＶなどの機器をＴＶリモコンで制御することを特徴とする装置に関する発明であるのに対し、本発明は、機器間にＬＡＮケーブルなどを通じて連結して統合制御する方式ではない。
【０００５】
また、特許文献３は、表示装置とＳＴＢあるいはＤＶＤプレーヤとをシリアルバスで接続して一つのリモコンで統合制御する方法に関する発明であるのに対し、本特許の場合は、シリアルバスで接続して機器を統合制御する方式ではなく、それぞれの機器に対するリモコンキーコード値が統合的に伝送されて、映像出力装置及び音響出力装置の電源がオンとなると同時に外部入力が自動転換される方式で動作する。
【０００６】
すなわち、従来の特許文献のうち機器間のシリアルポートを開けるか、ケーブルを利用して機器間の連結を設定する方式は、あらゆる機器ごとにシリアルポートを開けるか、あらゆる機器ごとにケーブルを連結してシステムを構成せねばならないので、既存のデバイス修正に高コストがかかるという問題があった。さらに、追加的にＯＳＤ作業も行わねばならないという不便さがあった。
【０００７】
また、従来の技術は、映像出力装置で外部の入力を直接感知して外部入力が感知されたポートを開いてソースを出力する方式であるが、映像出力装置や音響出力装置が個別的に動作するように制御せねばならないという問題がある。
【特許文献１】日本特許公開平１１−３３１７１５号公報
【特許文献２】米国特許第６７４４７５２号公報
【特許文献３】日本特許公開第２００３−０３２５０８号公報
【発明の開示】
【発明が解決しようとする課題】
【０００８】
本発明は、前記のような問題点を鑑みてなされたものであり、本発明が解決しようとする技術的課題は、いろいろな機器を同時に容易に取り扱えないユーザが、一回の設定で映像出力装置と音響出力装置及びソース入力装置を同時に制御できるシナリオによる制御方法及びシステムを提供することである。
【０００９】
本発明の目的は、以上で言及した目的に制限されず、言及されていない他の目的は下の記載から当業者に明確に理解されうる。
【課題を解決するための手段】
【００１０】
前述した目的を達成するための本発明の一実施形態によるシナリオによる制御方法は、映像出力装置、音響出力装置、複数のソース入力装置及び前記それぞれの装置に信号を送信するリモコンを備えるシステムで、前記映像出力装置に複数の映像入力チャンネルを設定し、前記音響出力装置に複数の音響入力チャンネルを設定する第１ステップと、前記リモコンを通じて第１ソース入力装置によるサービスモードが選択された状態で、前記リモコンのパワーオンボタンによる統合信号を送信する第２ステップと、前記統合信号により前記第１ソース入力装置の電源がオンとなり、前記映像出力装置及び前記音響出力装置は、ユーザにより既設定された第１映像入力チャンネル及び第１音響入力チャンネルに対するキーコードを前記統合信号により受信して電源がオンとなると同時に、前記第１ソース入力装置が提供する映像及び音響を出力する第３ステップと、を含む。
【００１１】
また、望ましくは、前記リモコンを通じて第２ソース入力装置によるサービスモードが選択された状態で、前記リモコンのパワーオンボタンによる統合信号を送信する第４ステップと、前記統合信号により前記第２ソース入力装置の電源がオンとなり、前記映像出力装置及び前記音響出力装置は、ユーザにより既設定された第２映像入力チャンネル及び第２音響入力チャンネルに対するキーコードを前記統合信号により受信して電源がオンとなると同時に、前記第２ソース入力装置が提供する映像及び音響を出力する第５ステップと、をさらに含む。
【００１２】
また、前述した目的を達成するための本発明の一実施形態によるシナリオによる制御システムは、複数の映像入力チャンネルにキーコード値を割り当て、前記割り当てられたキーコード値に所定の映像入力規格をマッピングする映像チャンネル設定部を備える映像出力装置と、複数の音響入力チャンネルにキーコード値を割り当て、前記割り当てられたキーコード値に所定の音響入力規格をマッピングする音響チャンネル設定部を備える音響出力装置と、パワーオン及びオフボタンが分離されており、前記キーコード値が割り当てられた複数の映像入力チャンネルと複数の音響入力チャンネルのうち特定の映像入力チャンネル及び特定の音響入力チャンネルを設定するように制御する設定ボタンを備えたリモコンと、前記リモコンのパワーオンボタンによる統合信号により電源がオンとなると同時に、ユーザにより既設定された第１映像入力チャンネル及び第１音響入力チャンネルに対するキーコードを前記統合信号により受信して、電源がオンとなる前記映像出力装置及び前記音響出力装置に第１ソース映像及び第１ソース音響を入力させる第１ソース入力装置と、を含む。
【００１３】
望ましくは、前記リモコンのパワーオンボタンによる統合信号により電源がオンとなると同時に、ユーザにより既設定された第２映像入力チャンネル及び第２音響入力チャンネルに対するキーコードを前記統合信号により受信して、電源がオンとなる前記映像出力装置及び前記音響出力装置に第２ソース映像及び第２ソース音響を入力させる第２ソース入力装置をさらに含む。
【００１４】
その他の実施例の具体的な事項は詳細な説明及び図面に含まれている。
【発明の効果】
【００１５】
本発明の一実施形態によれば、映像出力装置及び音響出力装置で外部入力チャンネルを設定できて、ユーザのシナリオによる装置制御が可能になる。すなわち、ユーザが所望するシナリオの設定によって、便利にいろいろな機器をリモコンの簡単な操作だけで制御できる。
【００１６】
本発明の効果は、以上で言及した効果に制限されず、言及されていない他の効果は請求の範囲の記載から当業者に明確に理解されうる。
【発明を実施するための最良の形態】
【００１７】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１８】
以下、本発明の望ましい実施例について添付された図面を参照してさらに詳細に説明する。
【００１９】
図１は、本発明の一実施形態によるシナリオによる制御システムの構成を示す図面である。前記システムは、第１ソース入力装置１００、第２ソース入力装置２００、映像チャンネル設定部３５０を備える映像出力装置３００、音響チャンネル設定部４５０を備える音響出力装置４００及びリモコン５００を備える。
【００２０】
まず、映像出力装置３００は、映像をディスプレイする機能を行う装置であって、ＤＴＶなどがこのような役割を行える。映像出力装置３００は、複数の映像入力チャンネルにキーコード値を割り当て、前記割り当てられたキーコード値に所定の映像入力規格をマッピングする映像チャンネル設定部３５０を備えている。
【００２１】
音響出力装置４００は、音響を出力する装置であって、デジタル信号をデコーディングして増幅するＡＶレシーバと、増幅された音を直接出力するスピーカとを備える概念である。かかる音響出力装置４００は、複数の音響入力チャンネルにキーコード値を割り当て、前記割り当てられたキーコード値に所定の音響入力規格をマッピングする音響チャンネル設定部４５０を備えている。
【００２２】
リモコン５００は、それぞれの機器にＩＲ信号を送信して各機器を制御する役割を行うものであって、パワーオン及びオフボタンがトグル方式ではない別途のキーボタンに分離されており、前記キーコード値が割り当てられた複数の映像入力チャンネルと複数の音響入力チャンネルのうち特定の映像入力チャンネル及び音響入力チャンネルを設定するように制御する設定ボタンを備えている。このようなリモコン５００のキーボタン構成を例示したものが図２であるが、図２は、本発明の一実施形態によるシナリオによる制御システムの一構成のリモコンのボタン構成を例示した図面である。電源のオン及びオフボタンが、トグル方式ではなく別個に分離されて独立的なキー値を持ち、複数の映像入力チャンネルと複数の音響入力チャンネルのうち特定の映像入力チャンネル及び音響入力チャンネルを設定できる設定ボタンが右側下端に備わっていることが分かる。このように、電源のオン及びオフボタンを分離した理由は、リモコン５００から送信されたパワーオン信号をソース入力装置１００、２００と映像出力装置３００及び音響出力装置４００が同時に受信して、同時に電源がオンとなるシナリオで、もしトグル方式のボタンならば、一つの装置のみオン信号を受信できず、残りの装置はオン信号を受けて電源がオンとなった場合に、オン信号を受信できない装置のために再びオンボタンを押せば、はじめにオン信号を受信できなかった装置はオンとなるが、はじめからオン信号を受けて電源がオンとなっていた残りの装置は電源がオフとなってしまう問題が生じるためである。
【００２３】
一方、リモコン５００の上端には４個の機器に対するサービスモードが表示されているところ、各機器の独立的な機能を見れば、映像出力装置は地上波ＤＴＶやアナログ放送を視聴でき、ＳＴＢ１及びＳＴＢ２は衛星放送及びケーブル放送のサービスを提供でき、音響出力装置はＤＶＤプレーヤで提供する音響の出力を提供する。
【００２４】
第１ソース入力装置１００は、前記リモコン５００のパワーオンボタンによる統合信号により電源がオンとなると同時に、映像出力装置３００及び音響出力装置４００は、ユーザにより既設定された第１映像入力チャンネル及び第１音響入力チャンネルに対するキーコードを前記統合信号により受信して電源がオンとなり、第１ソース入力装置１００は、このような状態にある映像出力装置３００及び音響出力装置４００に第１ソース映像及び第１ソース音響を入力させる役割を行う。
【００２５】
第２ソース入力装置２００は、前記リモコン５００のパワーオンボタンによる統合信号により電源がオンとなると同時に、映像出力装置３００及び音響出力装置４００は、ユーザにより既設定された第２映像入力チャンネル及び第２音響入力チャンネルに対するキーコードを前記統合信号により受信して電源がオンとなり、第２ソース入力装置２００は、このような状態にある映像出力装置３００及び音響出力装置４００に第２ソース映像及び第２ソース音響を入力させる役割を行う。
【００２６】
一方、ここで、前記映像入力規格とは、ＨＤＭＩ規格、ＤＶＩ規格、コンポーネント規格、コンポジット規格及びスーパービデオ規格を含み、音響入力規格は、ＳＰＤＩＦ規格及びＡｕｘ規格を含む。各規格の方式については、公知の技術であるので詳細な説明は省略する。
【００２７】
また、映像出力装置３００は、ＤＴＶであり、前記音響出力装置は、ＡＶレシーバであり、複数のソース入力装置は、ＤＶＤプレーヤ、衛星放送ＳＴＢ、ケーブル放送ＳＴＢ及びＩＰ  ＳＴＢを備える。
【００２８】
なお、本発明の一実施形態による制御方法のフローを図３及び図４を参照して説明する。図３は本発明の一実施形態によるシナリオによる制御方法のフローを示す図面である。図４は本発明の一実施形態による映像入力チャンネル及び音響入力チャンネルを設定することを例示した図面である。
【００２９】
まず、映像出力装置３００内に存在する映像チャンネル設定部３５０が複数の映像入力チャンネルにキーコード値を割り当て、割り当てられたキーコード値に特定の映像入力規格をマッピングし（Ｓ３０２）、同じ方式で音響出力装置４００内に存在する音響チャンネル設定部４５０は、複数の音響入力チャンネルにキーコード値を割り当て、割り当てられたキーコード値に特定の音響入力規格をマッピングする（Ｓ３０４）。このような結果をテーブルで構成して示したのが図４のテーブルであるが、映像入力チャンネルには、ＨＤＭＩ規格、ＤＶＩ規格、コンポーネント規格、コンポジット規格、スーパービデオ規格が１番から１０番までマッピングされており、音響入力チャンネルには、ＳＰＤＩＦ規格、Ａｕｘ規格が１１番から１３番までマッピングされていることが分かる。
【００３０】
そして、リモコン５００を通じて映像チャンネル設定部３５０は、前記映像入力チャンネルに割り当てられたキーコード値のうち特定のキーコード値に該当する映像入力規格を選択し、音響チャンネル設定部４５０は、前記音響入力チャンネルに割り当てられたキーコード値のうち特定のキーコード値に該当する音響入力規格を選択する（Ｓ３０６）。例えば、第１映像入力チャンネルは２番のＤＶＩ規格を選択し、第１音響入力チャンネルは１１番のＳＰＤＩＦ規格を選択でき、第２映像入力チャンネルとしては４番のＣｏｍｐｏｎｅｎｔ２を選択でき、第２音響入力チャンネルとして１３番のＡｕｘ２を選択できる。
【００３１】
一方、リモコン５００を通じて第１ソース入力装置１００によるサービスモードが選択された状態で、前記リモコン５００のパワーオンボタンによる統合信号を送信すれば（Ｓ３０８）、前記統合信号により第１ソース入力装置１００の電源がオンとなる（Ｓ３１０）。
【００３２】
ここで、統合信号とは、第１ソース入力装置１００に対する電源オン信号に対するキーコードと、映像出力装置３００及び音響出力装置４００に対する外部入力信号に対するキーコードが含まれた信号を意味する。
【００３３】
映像出力装置３００及び音響出力装置４００は、ユーザにより既設定された第１映像入力チャンネル及び第１音響入力チャンネルに対するキーコードを待機状態（ｓｔａｎｄｂｙ）モードで前記統合信号により受信して、電源がオンとなると同時に第１ソース入力装置１００が提供する映像及び音響を出力する（Ｓ３１２）。前記の例によれば、第１映像入力チャンネルに対してはＤＶＩ規格が選択されて映像が出力され、第１音響入力チャンネルに対しては１１番のＳＰＤＩＦ規格が選択されて音響が出力される。
【００３４】
もし、前記のような方式によらない場合には、映像出力装置３００及び音響出力装置４００に対してそれぞれのパワーオンキーコード、映像入力キーコード、音響入力キーコード及び第１ソース入力装置１００に対するパワーオンキーコードなど５つのキーコードを同時に送信せねばならないが、前記の方式で行うことによって、リモコン５００のキーコード数を５個から３個に低減する。
【００３５】
一方、リモコン５００を通じて第２ソース入力装置２００によるサービスモードが選択された状態で、リモコン５００のパワーオンボタンによる統合信号を送信する場合（Ｓ３１４）、前記統合信号により第２ソース入力装置２００の電源がオンとなり、映像出力装置３００及び音響出力装置４００は、ユーザにより既設定された第２映像入力チャンネル及び第２音響入力チャンネルに対するキーコードを待機状態モードで前記統合信号により受信して、電源がオンとなると同時に第２ソース入力装置２００が提供する映像及び音響を出力する（Ｓ３１６）。
【００３６】
前記の例によれば、第２映像入力チャンネルに対してはＣｏｍｐｏｎｅｎｔ２規格が選択されて映像が出力され、第２音響入力チャンネルに対しては１３番のＡｕｘ２規格が選択されて音響が出力される。前述した内容で映像出力装置３００は、ＤＴＶであり、音響出力装置４００は、ＡＶレシーバであり、複数のソース入力装置は、ＤＶＤプレーヤ、衛星放送ＳＴＢ、ケーブル放送ＳＴＢ及びＩＰ  ＳＴＢを備える。
【００３７】
また、本発明のマルチメディアデータをデジタルデバイスに直接記録する方法についてのプログラムを記録した、コンピュータで読み取り可能な記録媒体にも本発明の権利範囲が及ぶということは言うまでもない。
【００３８】
以上、添付図を参照して本発明の実施例を説明したが、本発明が属する技術分野で当業者ならば本発明がその技術的思想や必須特徴を外れない範囲内で変形及び置換、変形及び変更が可能なので他の具体的な形に実施されうるということが理解できるであろう。したがって、前述した実施例は全ての面で例示的なものであって、限定的なものではないと理解せねばならない。
【産業上の利用可能性】
【００３９】
本発明は、ＴＶの映像出力装置及び音響出力装置の関連技術分野に好適に用いられる。
【図面の簡単な説明】
【００４０】
【図１】本発明の一実施形態によるシナリオによる制御システムの構成を示す図である。
【図２】本発明の一実施形態によるシナリオによる制御システムの一構成であるリモコンのボタン構成を例示した図である。
【図３】本発明の一実施形態によるシナリオによる制御方法のフローを示す図である。
【図４】本発明の一実施形態による映像入力チャンネル及び音響入力チャンネルを設定することを例示した図である。
【符号の説明】
【００４１】
１００      第１ソース入力装置
２００      第２ソース入力装置
３００      映像出力装置
３５０      映像チャンネル設定部
４００      音響出力装置
４５０      音響チャンネル設定部
５００      リモコン
【図１】
2007060658.tif 000003
【図２】
2007060658.tif 000004
【図３】
2007060658.tif 000005
【図４】
2007060658.tif 000006